(57)【要約】【課題】ヘッド部を小さくすると共に、ボルトに十分な回転力を付与できるアジャスタブルレンチを提供する。【解決手段】ボルト頭部を嵌合させる係合穴１１を有したヘッド部１２、及びヘッド部を先端部に固定すると共に内部に係合穴と連通するガイド穴１３を有した操作杆１４を備えた操作本体１０と、ガイド穴内に配置されて操作杆の長手方向へ進退するスライド片２１、及びスライド片の先端部に固定されて係合穴内に出没する可動係合片２２を備えた可動操作部材２０と、スライド片をガイド穴内に沿って進退させることにより係合穴内における可動係合片の突出長を調整する調整機構３０と、を備え、調整機構は、操作本体側面に設けられてガイド穴と連通する開口部３１と、開口部内に回転自在に軸支された操作ギヤ（３２）と、スライド片の側面であって操作ギヤと常時噛合する位置に形成された従動ギヤ（３３）と、を備えている。【選択図】図１
2011156620.tif 000002
【特許請求の範囲】
【請求項１】
ボルト頭部を嵌合させる係合穴を有したヘッド部、及び該ヘッド部を先端部に固定すると共に内部に前記係合穴と連通するガイド穴を有した操作杆を備えた操作本体と、
前記ガイド穴内に配置されて前記操作杆の長手方向へ進退するスライド片、及び該スライド片の先端部に固定されて前記係合穴内に出没する可動係合片を備えた可動操作部材と、
前記スライド片を前記ガイド穴内に沿って進退させることにより前記係合穴内における前記可動係合片の突出長を調整する調整機構と、を備え、
前記調整機構は、前記操作本体側面に設けられて前記ガイド穴と連通する開口部と、該開口部内に回転自在に軸支された操作ギヤと、前記スライド片の側面であって該操作ギヤと常時噛合する位置に形成された従動ギヤと、を備えていることを特徴とするアジャスタブルレンチ。
【請求項２】
前記開口部及び前記操作ギヤを前記操作杆に備えたことを特徴とする請求項１に記載のアジャスタブルレンチ。
【請求項３】
前記係合穴を有した環状の前記ヘッド部の一部に切欠き部を設けて該切欠き部から前記係合穴内に前記ボルト頭部を着脱可能に構成したことを特徴とする請求項１又は２に記載のアジャスタブルレンチ。
【発明の詳細な説明】
【技術分野】
【０００１】
本発明は、ボルトやナットを締結したり緩める際に使用するレンチに関し、特に、様々な大きさのボルトやナットに適切に対応してこれらを回転させることができるアジャスタブルレンチに関する。
【背景技術】
【０００２】
径寸法の異なる種々のボルトやナットを締結したり緩める作業を一つの工具により実施するためのアジャスタブルレンチとして、いわゆるモンキレンチが知られている。モンキレンチは、ハンドル先端部に固定された上あご部と、上あご部に対して接離自在に設けられた下あご部と、を備え、下あご部をスライド移動させることにより、上あご部との幅を可変させて様々なサイズのボルト等を上あご部と下あご部にて挟持して回転させることができる。
また、例えば、特許文献１には、様々な大きさのボルトを回転させることのできる箱スパナが記載されている。この箱スパナは、ボルト頭部を嵌合させる係合穴を有した箱部材と、係合穴と連通するガイド穴から係合穴内に出没する係合片と、係合片に着脱自在に連設されて係合片を操作するハンドルとを備え、係合穴と係合片との距離を可変させることにより、様々なサイズのボルト等を係合穴と係合片にて嵌合させて回転させることができる。
【先行技術文献】
【特許文献】
【０００３】
【特許文献１】特開平５−２６１６７５号公報
【発明の概要】
【発明が解決しようとする課題】
【０００４】
しかしながらモンキレンチは、下あご部がハンドルの長手方向に対して６５°〜９０°程度傾斜した方向に移動するように構成されているため、ハンドルに対してヘッド部が過大であり、狭いところでは使用しにくいという問題がある。また、下あご部を駆動するウォームがヘッド部にあるため、ウォームを操作するときとボルトを回転させるときとで、把持位置を変更しなければならず、操作性が悪いという問題がある。
また、特許文献１の発明では、箱部材と係合片の接触面積と、係合片とハンドルとの接触面積が共に少ないため、ボルトの回転時にハンドルがぐらつきやすく、ボルトに十分な回転力を伝達できないという問題がある。
本発明は、上述の事情に鑑みてなされたものであり、ヘッド部を小さくすると共に、ボルトに十分な回転力を付与できるアジャスタブルレンチを提供することを目的とする。
【課題を解決するための手段】
【０００５】
上記の課題を解決するために、請求項１に記載の発明は、ボルト頭部を嵌合させる係合穴を有したヘッド部、及び該ヘッド部を先端部に固定すると共に内部に前記係合穴と連通するガイド穴を有した操作杆を備えた操作本体と、前記ガイド穴内に配置されて前記操作杆の長手方向へ進退するスライド片、及び該スライド片の先端部に固定されて前記係合穴内に出没する可動係合片を備えた可動操作部材と、前記スライド片を前記ガイド穴内に沿って進退させることにより前記係合穴内における前記可動係合片の突出長を調整する調整機構と、を備え、前記調整機構は、前記操作本体側面に設けられて前記ガイド穴と連通する開口部と、該開口部内に回転自在に軸支された操作ギヤと、前記スライド片の側面であって該操作ギヤと常時噛合する位置に形成された従動ギヤと、を備えているアジャスタブルレンチを特徴とする。
請求項１に記載の発明では、係合片がスライド片により操作杆の長手方向に進退移動するので、ヘッド部を小さくすることができる。また、スライド片の側面がガイド穴内面にて支持されるので、ボルトに十分な回転力を付与できる。
請求項２に記載の発明は、前記開口部及び前記操作ギヤを前記操作杆に備えた請求項１に記載のアジャスタブルレンチを特徴とする。
請求項２に記載の発明では、開口部と操作ギヤが操作杆に配置されているので、アジャスタブルレンチを持ち替えることなく可動係合片の突出量を調整できる。
請求項３に記載の発明は、前記係合穴を有した環状の前記ヘッド部の一部に切欠き部を設けて該切欠き部から前記係合穴内に前記ボルト頭部を着脱可能に構成した請求項１又は２に記載のアジャスタブルレンチを特徴とする。
請求項３に記載の発明では、ヘッド部の一部に切欠き部を設けたことで、切欠き部から係合穴内にボルト頭部を着脱することができ、作業性の向上を図ることができる。
【発明の効果】
【０００６】
本発明によれば、係合穴と係合片がスライド片により操作杆の長手方向に進退移動するので、ヘッド部を小さくすることができる。また、スライド片がガイド穴内に配置されているので、スライド片の側面がガイド穴内面に支持されて、ボルトを回転させるときに可動係合片がぐらつきにくく、ボルトに十分な回転力を付与することができる。
【図面の簡単な説明】
【０００７】
【図１】本発明の第一の実施形態に係るアジャスタブルレンチの平面図である。
【図２】本発明の第一の実施形態に係るアジャスタブルレンチの斜視図である。
【図３】本発明の第一の実施形態に係るアジャスタブルレンチの分解斜視図である。
【図４】ヘッド部の部分拡大図であり、（ａ）は最大許容サイズのボルトを嵌合させた状態を示し、（ｂ）は中間サイズのボルトを嵌合させた状態を示し、（ｃ）は最小許容サイズのボルトを嵌合させた状態を示す図である。
【図５】第二の実施形態に係るアジャスタブルレンチの平面図である。
【図６】第二の実施形態に係るアジャスタブルレンチの斜視図である。
【発明を実施するための形態】
【０００８】
〔第一の実施形態〕
本発明の第一の実施形態について、図１及び図２に基づいて説明する。図１は、本実施形態に係るアジャスタブルレンチの平面図である。図２は、本実施形態に係るアジャスタブルレンチの斜視図である。本実施形態に係るアジャスタブルレンチは、可動係合片が操作杆の長手方向に移動するように構成し、ウォームを操作杆に配置した点に特徴がある。なお、以下ではボルトを操作する場合を一例として説明するが、本発明のアジャスタブルレンチはボルト頭部と同様の形状を有するナット等にも適用可能であることは言うまでもない。
アジャスタブルレンチ１（以下、単にレンチ１）は、六角柱状のボルト頭部を嵌合させる係合穴１１を有したヘッド部１２、及びヘッド部１２を先端部に固定すると共に内部に係合穴１１と連通するガイド穴１３を有した操作杆１４を備えた操作本体１０と、ガイド穴１３内に配置されて操作杆１４の長手方向へ進退するスライド片２１、及びスライド片２１の先端部に固定されて係合穴１１内に出没する可動係合片２２を備えた可動操作部材２０と、スライド片２１をガイド穴１３内に沿って進退させることにより係合穴１１内における可動係合片２２の突出長を調整する調整機構３０と、を備えている。
調整機構３０は、操作本体１０の側面に設けられてガイド穴１３と連通する開口部３１と、開口部３１内に回転自在に軸支されたウォーム３２（操作ギヤ）と、スライド片２１の側面であってウォーム３２と常時噛合する位置に形成されたラックギヤ３３（従動ギヤ）と、を備えている。
【０００９】
係合穴１１は、正六角柱状のボルト頭部と係合する形状を有している。なお、係合穴１１の形状は正六角柱状以外の形状でも構わない。係合穴１１の先端部側には、ボルト頭部の１つの角部を含む２辺と当接する係合面１５を有する。また、係合穴１１の図中幅方向両端部の内側面１８は、最大許容サイズのボルト頭部と面接触する。係合穴１１の操作杆１４側における内側面には可動係合片２２が突出する開口部１６があり、開口部１６から操作杆１４側にかけて、開口部１６を介して係合穴１１とガイド穴１３とを連通するとともに、可動係合片２２を進退可能に収容する収容穴１７を有している。
可動係合片２２の外側面には、係合面１５との間でボルト頭部を挟持する係合面２３を有しており、ボルトの回転時にはボルト頭部の少なくとも４辺が支持される。
スライド片２１は、ガイド穴１３内に配置され、操作杆１４の長手方向に延在する棒状の部材であり、ガイド穴１３の内面に沿って摺動する。スライド片２１の側面にはラックギヤ３３が形成されている。
調整機構３０は、操作杆１４の長手方向中間部に配置されており、開口部３１は少なくとも操作杆１４の稜線の一部を切り欠くように、操作杆１４の幅方向一端部側の側面に設けられている。開口部３１からは、ガイド穴１３内に配置されたスライド片２１のラックギヤ３３が露出する。また開口部３１内には、ウォーム３２が正逆回転自在に軸支されている。なお、ウォーム３２以外の他のギヤ機構、例えばピニオンギヤ等を用いることも可能である。
【００１０】
ここで、レンチ１の構造について図３に基づいて説明する。図３は、本実施形態に係るアジャスタブルレンチの分解斜視図である。
操作本体１０は、厚さ方向に２分割されたベース部材１０ａと蓋部材１０ｂとから構成されている。
開口部３１内には、操作杆１４の長手方向に形成された一対の軸受３４が配置されている。この軸受３４にウォーム３２の回転軸３２ａをはめ込み、ウォーム３２とラックギヤ３３とが噛合するように可動操作部材２０をガイド穴１３内に挿入し、最後に蓋部材１０ｂとベース部材１０ａとを溶接あるいは螺着する等して一体化することにより、レンチ１が完成する。
【００１１】
レンチとボルトとの関係について説明する。図４は、ヘッド部の部分拡大図であり、（ａ）は最大許容サイズのボルトを嵌合させた状態を示し、（ｂ）は中間サイズのボルトを嵌合させた状態を示し、（ｃ）は最小許容サイズのボルトを嵌合させた状態を示す図である。
（ａ）に示すように、ウォーム３２を回転させて可動係合片２２の突出量を減少させた上で最大許容サイズのボルトＢ１を嵌合させると、ボルトＢ１は、係合面１５、内側面１８及び係合面２３に面接触して、合計６面にて支持される。
また、（ｂ）、（ｃ）に示すように、ウォーム３２を回転させて可動係合片２２の突出量を適宜調整した上で、ボルトＢ１より小さいボルトＢ２、Ｂ３を嵌合させると、ボルトは係合面１５及び係合面２３の合計４面にて支持される。
特に、最小許容サイズのボルトＢ３を嵌合させた場合には、係合面１５の幅方向両端側に位置する内側面１９と、係合面２３の幅方向両端側に位置する側面２４とが当接するので、より小さいボルトに対応しやすい。
【００１２】
以上のように、本実施形態によれば、可動係合片が操作杆の長手方向に進退移動するように構成したので、ヘッド部の幅を小さくすることができる。従って、狭い場所においてもボルトを容易に回転させることができる。また、ボルト頭部を係合穴の係合面及び可動係合片の係合面にて支持することで、少なくともボルト頭部の４面が支持されるので、ボルトに十分な回転力を伝達しやすく、なめにくいという特徴を有する。また、スライド片が操作杆内に配置されているので、スライド片の側面をガイド穴内面にて支持することができ、可動係合片がぐらつくことなくボルトに十分な回転力を伝達することができる。また、ウォームが操作杆に配置されているので、可動係合片の突出量を調整するときに、アジャスタブルレンチを持ち替える必要がなく、操作性に優れている。
【００１３】
〔第二の実施形態〕
本発明の第二の実施形態について図５、図６に基づいて説明する。図５は、本実施形態に係るアジャスタブルレンチの平面図である。図６は、本実施形態に係るアジャスタブルレンチの斜視図である。本実施形態は、ヘッド部の一部に切欠き部を設けた点と、調整機構の開口部とウォームを操作杆の幅方向中間部に配置した点に特徴がある。以下、第一の実施形態と同一の部材には同一の符号を付してその説明を省略する。
アジャスタブルレンチ２（レンチ２）は、係合穴４１を有した環状のヘッド部１２の一部に切欠き部４２を備えている。切欠き部４２から係合穴４１内にボルトＢ頭部を着脱することができ、ボルトＢを係合穴４１に容易に嵌合できる形状である。
また、レンチ２は、操作杆１４の幅方向中間部にガイド穴１３と連通する開口部５１と、開口部３１内に回転自在に軸支されたウォーム５２（操作ギヤ）と、スライド片２１の側面であってウォーム５２と常時噛合する位置に形成されたラックギヤ５３（従動ギヤ）と、からなる調整機構５０を備えている。ボルトＢを回転させるときには、ボルトＢを中心として操作杆１４の幅方向に回転力を付与するが、第一の実施形態と異なり、操作杆１４の幅方向に位置する側面からウォーム５２が露出していないので、ボルトＢの回転時に手がウォーム５２に接触しづらいという特徴がある。
【００１４】
以上のように、本実施形態に係るレンチにおいては、ヘッド部に切欠き部が形成されていることで、切欠き部から係合穴内にボルト頭部を着脱することができ、作業性の向上を図ることができる。また、調整機構を幅方向中間部に備えたことにより、ボルトの回転時に手がウォームに接触しづらくなるので、調整後の可動係合片の突出量が変化することを防止でき、また、手がウォームに挟まれるといった事故を防止できる。
【符号の説明】
【００１５】
１、２…アジャスタブルレンチ（レンチ）、１０…操作本体、１０ａ…ベース部材、１０ｂ…蓋部材、１１…係合穴、１２…ヘッド部、１３…ガイド穴、１４…操作杆、１５…係合面、１６…開口部、１７…収容穴、１８、１９…内側面、２０…可動操作部材、２１…スライド片、２２…可動係合片、２３…係合面、２４…側面、３０…調整機構、３１…開口部、３２…ウォーム、３２ａ…回転軸、３３…ラックギヤ、３４…軸受、４１…係合穴、４２…切欠き部、５０…調整機構、５１…開口部、５２…ウォーム、５３…ラックギヤ、Ｂ、Ｂ１、Ｂ２、Ｂ３…ボルト
【図１】
2011156620.tif 000003
【図２】
2011156620.tif 000004
【図３】
2011156620.tif 000005
【図４】
2011156620.tif 000006
【図５】
2011156620.tif 000007
【図６】
2011156620.tif 000008